(57)【要約】      （修正有）【課題】従来の自転車の構造は両足でペダル踏み、チェーンホイールを円周運動させることで自転車を前進させるが、両足でペダルを踏むという円周運動による駆動方式は、使用者にとって面白みに欠け、新鮮さが感じられないため、運動効果も上がらないという欠点がある。【解決手段】上下往復ペダル式レジャー自転車は、伝動ベルトの端に、スプリングパーツがフレームに牽引されて取り付けられることで、駆動ユニットのクランク及びペダルが上に跳ね上がる。このペダルを下に踏むと、伝動ベルトによってメイン回転軸フリーホイールが動かされ、メイン回転軸フリーホイールと同軸のチェーンホイールが同時に回転し、メイン伝動ベルトが後輪軸フリーホイール及び後輪を動かして回転する。【選択図】図１
0003126888.tif 000002
【実用新案登録請求の範囲】
【請求項１】
フレーム、前輪、後輪、ハンドル、チェーンホイール、後輪軸フリーホイール、メイン伝動ベルト、ペダル等のパーツから構成され、
フレーム下方両側にはそれぞれステップがあり、チェーンホイールを固定するためにフレームに設置されたチェーンホイール回転軸には、別に少なくとも1個のメイン回転軸フリーホイールがあり、メイン回転軸フリーホイールのフレームに対応する位置には、自由に回転する軸はめ込み状に設置された駆動ユニットがあり、その駆動ユニットには、更にペダルを取り付けるためのクランク及びロッドがあり、メイン回転軸フリーホイールの位置には伝動ベルトが巻かれ、この伝動ベルトの一端は、駆動ユニットのロッドに連結し、他端はスプリングパーツによってフレームに連結し、駆動ユニットのクランクとロッドが随時上に跳ね上がって動くようになっており、
使用者がペダルを下に踏むと駆動ユニットのロッドが伝動ベルトを引っ張り、メイン回転軸フリーホイール及び同軸のチェーンホイールが同時に回転し、チェーンホイールはメイン伝動ベルトによって後輪軸フリーホイールと後輪を動かし、ペダルを踏む足が上がると、スプリングパーツの元に戻る作用とメイン回転軸フリーホイールの空転とにより、その伝動ベルトは、また駆動ユニットのロッドを引っ張り、クランクとペダルを自動的に上に上げる動作を行ない、次の下に踏む動作のための準備をするという特長を持つ、上下往復ペダル式レジャー自転車。
【請求項２】
駆動ユニット上方のフレームに近い位置に、別に駆動ユニットのロッドに対応する上部ストッパーがあり、ロッド及びクランクが上に振れた時の高度を制限するという特長を持つ、請求項１に記載の上下往復ペダル式レジャー自転車。
【請求項３】
フレームの下方に、クランクあるいは駆動ユニットのロッドに対応する下部ストッパーがあり、そのロッド及びクランクが下に振れる位置を制限するという特長を持つ、請求項１に記載の上下往復ペダル式レジャー自転車。
【考案の詳細な説明】
【技術分野】
【０００１】
本考案は、上下往復ペダル式レジャー自転車の構造に関するものである。本考案の上下往復ペダル式レジャー自転車の構造は、シンプルであり、使用法も簡単で便利である。また、従来の自転車の操作方式とは完全に異なり、娯楽性や面白みに富むと同時に、運動効果にも優れている。本考案の上下往復ペダル式レジャー自転車は、レジャー用にも近距離を移動する足としても利用することが可能である。
【背景技術】
【０００２】
従来の一般的な自転車の駆動方式は、ボトムブラケット（Bottom Bracket）の部分にチェーンホイール及び左右のクランクを取り付け、その左右のクランクの先端の位置にそれぞれペダルが取り付けられ、この２つのペダルは１８０度の角度で配置され、使用者の両足による円周運動によって交互にペダルを踏むことで、チェーンホイールが回転し、後輪フリーホイールが動かされることによって、後輪が駆動して自転車が前進する。つまり、従来の自転車の駆動方式は、ペダルを両足で踏んで円周運動をすることにより行なうものである。このペダルを踏んで円周運動することで自転車を前進させる駆動方式は、優れた運動効率を期待でき、使用者も操作に慣れている。
【考案の開示】
【考案が解決しようとする課題】
【０００３】
しかしながら、従来の自転車の運動効率と乗り心地良さを維持するためには、フレームに使用者が座るサドルを設置する必要がある。仮に、サドルを設置しなければ、使用者は長時間立ったままの状態でペダルを踏んで円周動作を続けるため、体力が消耗して疲れを感じ、運動効率が悪くなり、人体工学の原理にも適合しない。更には、自転車の使用が短い距離の場合やレジャー、スポーツの用途として使用される場合のいずれにおいても、常に両足でペダルを踏んで円周運動する駆動方式は、面白みに欠け、新鮮さが感じられないため、運動効果も上がらないということも考えられる。
【課題を解決するための手段】
【０００４】
請求項１に記載の考案は、フレーム、前輪、後輪、ハンドル、チェーンホイール、後輪軸フリーホイール、メイン伝動ベルト、ペダル等のパーツから構成され、フレーム下方両側にはそれぞれステップがあり、チェーンホイールを固定するためにフレームに設置されたチェーンホイール回転軸は、別に少なくとも1個のメイン回転軸フリーホイールがあり、メイン回転軸フリーホイールのフレームに対応する位置には、自由に回転する軸はめ込み状に設置された駆動ユニットがあり、その駆動ユニットには、更にペダルを取り付けるためのクランク及びロッドがあり、メイン回転軸フリーホイールの位置には、伝動ベルトが巻かれ、この伝動ベルトの一端は駆動ユニットのロッドに連結し、他端はスプリングパーツによってフレームに連結し、駆動ユニットのクランクとロッドが随時上に跳ね上がって動くようになっており、
使用者がペダルを下に踏むと、駆動ユニットのロッドが伝動ベルトを引っ張り、メイン回転軸フリーホイール及び同軸のチェーンホイールが同時に回転し、チェーンホイールはメイン伝動ベルトによって後輪軸フリーホイールと後輪を動かし、ペダルを踏む足が上がると、スプリングパーツの元に戻る作用とメイン回転軸フリーホイールの空転とにより、その伝動ベルトはまた駆動ユニットのロッドを引っ張り、クランクとペダルを自動的に上に上げる動作を行ない、次の下に踏む動作のための準備をするという特長を持つ、上下往復ペダル式レジャー自転車である。
【０００５】
請求項２に記載の考案は、駆動ユニット上方のフレームに近い位置に、別に駆動ユニットのロッドに対応する上部ストッパーがあり、ロッド及びクランクが上に振れた時の高度を制限するという特長を持つ、請求項１に記載の上下往復ペダル式レジャー自転車である。
【０００６】
請求項３に記載の考案は、フレームの下方に、クランクあるいは駆動ユニットのロッドに対応する下部ストッパーがあり、そのロッド及びクランクが下に振れる位置を制限するという特長を持つ、請求項１に記載の上下往復ペダル式レジャー自転車である。
【０００７】
本考案の上下往復ペダル式レジャー自転車は、チェーンホイール回転軸に、別に少なくとも１個のメイン回転軸フリーホイールが取り付けられ、メイン回転軸フリーホイールのフレームの位置に対応する回転軸によって、少なくとも１個の自由に回転する駆動ユニットがはめ込まれている。
【０００８】
そして、駆動ユニットには、ペダルクランク及びロッドが取り付けら、メイン回転軸フリーホイールと駆動ユニットのロッドの間は伝動ベルトで繋がれている。また、その伝動ベルトの他端は、スプリングパーツによってフレームに牽引されて取り付けられている。
【０００９】
また、駆動ユニットにクランク及びペダルが設置されていることにより、随時上に跳ね上がる作用をもっている。
【００１０】
ペダルを下に踏むと、伝動ベルトによってメイン回転軸フリーホイールが動かされ、そのメイン回転軸フリーホイールと同軸のチェーンホイールが同時に回転する。更に、メイン伝動ベルトは後輪軸フリーホイール及び後輪を動かして回転させる。
【００１１】
使用者が、上下往復にペダルを踏むことで車体を前進させるので、本考案に係る上下往復ペダル式レジャー自転車の操作は、従来のペダルを踏んで円周動作させる操作方式とは完全に異なるため、使用者に対して新鮮さと面白みを与えると共に、娯楽性と優れた運動効果もあたえる。
【考案の効果】
【００１２】
本考案の上下往復ペダル式レジャー自転車は、レジャーやスポーツの用途として使用可能である。また、本考案の上下往復ペダル式レジャー自転車の操作方法は、娯楽性に富み、面白みや新鮮感を使用者に与えるものである。更に、本考案の上下往復ペダル式レジャー自転車構造は、人体工学に基づいた構造となっているため、娯楽性と同時に優れた運動効果が期待できる。
【考案を実施するための最良の形態】
【００１３】
図１、図２、図３に図示したように、本考案の上下往復ペダル式レジャー自転車の構造は、一般の自転車にあるフレーム１０、前輪１１、後輪１２、ハンドル１３、チェーンホイール１４、後輪軸フリーホイール１５、メイン伝動ベルト１６、ペダル１７等のパーツから構成されている。
【００１４】
本考案が従来の自転車と異なる点は、フレーム１０に設置されているチェーンホイール回転軸２０の位置に、別に少なくとも１個のメイン回転軸フリーホイール３０（本考案は左右両メイン回転軸フリーホイール３０を実施例としている）及び、フレーム１０のメイン回転軸フリーホイール３０に対応する位置に、軸はめ込み状に設置された自由に回転する駆動ユニット４０が設けられるという点である。
【００１５】
図３に図示したように、この駆動ユニット４０は、簡単にはめ込むことができる形式であり、直接軸にはめ込む形式でフレーム１０の固定軸１０１に設置される。また、駆動ユニット４０には、ペダル１７を取り付けるためのクランク４１とロッド４２が設けられる。
【００１６】
そして、メイン回転軸フリーホイール３０の位置に伝動ベルト５０が巻かれ、この伝動ベルト５０は、駆動ユニット４０のロッド４２に連結される。そして、伝動ベルト５０の他端は、スプリングパーツ６０を介してフレーム１０に連結される。また、フレーム１０の下端両側には、ステップ７０が設置される。
【００１７】
図４、図５に図示したように、伝動ベルト５０は、メイン回転軸フリーホイール３０に巻かれた後、一端が駆動ユニット４０のロッド４２に連結される。他端はスプリングパーツ６０によってフレーム１０に引っ張られ、その駆動ユニット４０がさらに自由に回転する状態で軸固定される。
【００１８】
駆動ユニット４０に設置されるクランク４１及びペダル１７は、スプリングパーツ６０の作用によって、随時上にはじかれ上下に振れる動作をする（図４参照）。また、そのメイン回転軸フリーホイール３０は、チェーンホイール１４と同軸で、チェーンホイール１４もまた、メイン伝動ベルト１６によって、駆動を後輪軸フリーホイール１５及び後輪１２に伝える。
【００１９】
ペダル１７が下に踏まれると、クランク４１及びロッド４２が共に下に振れ、伝動ベルト５０はロッド４２によって下に引き下げられ、メイン回転軸フリーホイール３０及びチェーンホイール１４が回転して、後輪１２が動かされて前進動作を行う（図５参照）。
【００２０】
使用者がペダル１７から足を上げると、スプリングパーツ６０の弾力性を利用して、スプリングパーツ６０によって伝動ベルト５０が元に戻される。そして、メイン回転軸フリーホイール３０が空転し（このフリーホイールの構造は、一般の自転車の後輪軸のフリーホイールと同様である。）、駆動しないチェーンホイール回転軸２０の回転とで、直接ロッド４２、クランク４１及びペダル１７が上に引き上げられ（図４参照）、次のペダルを下に踏む動作のための準備がされる。
【００２１】
言い換えると、使用者が下にペダル１７を踏むと自転車が前進し、ペダル１７を踏む足が上がると、クランク４１及びペダル１７も自動的に上に上がり、次のペダル１７を踏む動作の準備がされる。つまり、使用者がそのペダル１７を踏む動作を繰り返すことで、自転車を動かす構造である。従って、本考案に係る上下往復ペダル式レジャー自転車は、従来の円周運動によってペダルを踏む動作を採用する従来の自転車の操作方式とは異なるため、使用者はこれまでにない新鮮味と面白さが味わえる。また、ペダルを上下に踏んで動かす方式は、自転車を短距離の交通機関として使用する場合、レジャー若しくはスポーツの目的に使用する場合、いずれの場合においても操作が簡単であると共に便利であり、更に、娯楽性にも富むという効果がある。
【００２２】
本考案に係る物品を操作する場合は、使用者がまず片足（例えば左足）でフレーム１０の一側面（左側）のステップ７０を踏む。車体が動き始めたら、更に他方の足（右足）で直接フレーム１０の他方(右側)のペダル１７（右側ペダル）を踏んで、クランク４１及びロッド４２を下に下げると車体は自然に前進する。次に、他方の足（左足）で続けてペダル１７を踏んで下に力をかけと、最初に下に踏んだ右足が上に上がり、右ペダル１７も自動的に上に戻って、次にペダル１７を下に踏む動作の準備がされる。このような順序に従って連続して上下往復にペダル１７を踏むことで、持続的に自転車を前進させることができる。
【００２３】
両足がスムーズに、心地よく、且つ安全に踏む動作ができるように、そのペダル１７が上下に振れる時の最高点と最低点に適当な制限をつけることもできる。図１、図６に図示したように本考案は、駆動ユニット４０上方のフレーム１０の位置に、ロッド４２に対応する上部ストッパー１０３が設けられる。ペダル１７が上に振れて最高点に達した時に、上部ストッパー１０３が、上に振れたロッド４２をストップさせる。
【００２４】
他方、フレーム１０の下方には、下部ストッパー７１が設けられ、ペダル１７が最低点に達した時に、下部ストッパー７１によって下に振れたクランク４１をストップさせるため、ペダル１７を下に振れないようにして操作上の安全性を考慮している。
【００２５】
本考案は操作上の必要性から、チェーンホイール回転軸２０にメイン回転軸フリーホイール３０及び駆動ユニット４０を１つ設置し、クランク４１、ロッド４２、ペダル１７、伝動ベルト５０、スプリングパーツ６０もそれらに対応する形で１つ設置して、使用者が片足で踏む動作を行なう構造であってもよい。この構造による足踏み駆動式であっても、使用者は前述の内容と同様の操作方法である。差異点は、使用者が両足で交替にペダル１７を踏むか、片足でペダルを踏むかという点であり、本考案に係る上下往復ペダル式レジャー自転車がスムーズさ、面白さ及び娯楽性を失うものではない。
【００２６】
本考案の上下往復ペダル式レジャー自転車は、従来の自転車のように足踏み円周運動を採用する駆動方式及び構造とは異なるため、自転車に乗る面白さや娯楽性が増すという特長がある。
【図面の簡単な説明】
【００２７】
【図１】本考案の実施例の立体図である。
【図２】図１を前から見た図である。
【図３】本考案の伝導体の実施例の立体図である。
【図４】本考案のペダル、クランク、ロッドが上に振れて、設定したハイポイントに達した様子を示した実施例図である。
【図５】本考案のペダルを下に踏み込んだ動作を示した実施例図である。
【図６】本考案のペダル、クランク、ロッドが下に振れて、設定したローポイントに達した様子を示した実施例図である。
【符号の説明】
【００２８】
１０  フレーム                
１０１  固定軸
１０３  上部ストッパー
１１  前輪              
１２  後輪
１３  ハンドル            
１４  チェーンホイール
１５  後輪軸フリーホイール    
１６  メイン伝動ベルト
１７  ペダル
２０  チェーンホイール回転軸
３０  メイン回転軸フリーホイール
４０  駆動ユニット
４１  クランク
４２  ロッド
５０  伝動ベルト
６０  スプリングパーツ
７０  ステップ
７１  下部ストッパー
【図１】
0003126888.tif 000003
【図２】
0003126888.tif 000004
【図３】
0003126888.tif 000005
【図４】
0003126888.tif 000006
【図５】
0003126888.tif 000007
【図６】
0003126888.tif 000008